(57)【特許請求の範囲】
【請求項１】
筒状の収容体内に配置されたアンテナと、
前記収容体の両端に、前記収容体の長さ方向に沿って一直線状にそれぞれ設けられた１対の支持脚とを、
有し、前記１対の支持脚は、長さ方向に対して直角な断面の大きさがそれぞれ異なる３つ以上の筒状体を、それぞれ有し、前記１対の支持脚は、前記断面が大きい前記筒状体の一端から内部に前記断面が小さい前記筒状体の他端を挿入することを順に繰り返し、前記断面が最も大きい前記筒状体の他端がそれぞれ前記収容体の両端に設けられ、前記１対の支持脚は、互いに独立して長さ方向に伸縮自在である
アンテナ装置。
【請求項２】
請求項１記載のアンテナ装置において、前記１対の支持脚の前記収容体と反対側の端部は、互いに対向する２つの壁それぞれに接触しているアンテナ装置。
【請求項３】
請求項２記載のアンテナ装置において、前記１対の支持脚は、前記収容体から前記反対側の端部までの長さが、互いに異なるアンテナ装置。
【発明の詳細な説明】
【技術分野】
【０００１】
本発明は、アンテナ装置に関し、特に、構造物への取付構成に関する。
【背景技術】
【０００２】
近年、地上デジタル放送が開始されている。小型のアンテナで地上デジタル放送を受信可能な地域が増加している。それに伴い小型のアンテナをベランダに設置するという需要が増加している。ベランダにアンテナを設置する技術としては、例えば特許文献１に開示されているようなものがある。特許文献１の技術では、予め定めた長さを有し、互いにねじ結合することができる円柱状のジョイントを複数準備し、ベランダの天井と床との寸法に対応した数のジョイントを連結して支柱を構成し、この支柱の両端をベランダの天井と床とに押し付け、支柱の途中にアンテナを取り付けている。
【０００３】
【特許文献１】実開平７−２９９０５号公報
【発明の開示】
【発明が解決しようとする課題】
【０００４】
特許文献１の技術によれば、予め定めた長さのジョイントを利用して支柱を構成しているので、支柱の長さをベランダの天井と床との間の寸法に正確に合わせることができない可能性が高く、支柱の寸法の微調整が必要になる。また、ジョイントは互いにねじ結合する必要があり、組み立てに時間がかかる。これらが相まってアンテナの取り付け作業が面倒になる。
【０００５】
本発明は、例えば屋外の構造物に容易に取り付けることができるアンテナ装置を提供することを目的とする。
【課題を解決するための手段】
【０００６】
本発明の一態様のアンテナ装置は、筒状の収容体内に配置されたアンテナと、前記収容体の両端に、前記収容体の長さ方向に沿って一直線状にそれぞれ設けられた１対の支持脚とを、有している。前記１対の支持脚は、長さ方向に対して直角な断面の大きさがそれぞれ異なる３つ以上の筒状体を、それぞれ有している。前記１対の支持脚は、前記断面が大きい前記筒状体の一端から内部に前記断面が小さい前記筒状体の他端を挿入することを順に繰り返し、前記断面が最も大きい前記筒状体の他端がそれぞれ前記収容体の両端に設けられている。前記１対の支持脚は、互いに独立して長さ方向に伸縮自在である。
【０００７】
前記１対の支持脚の前記収容体と反対側の端部は、互いに対向する２つの壁それぞれに接触しているものとすることができる。
【０００８】
さらに、前記１対の支持脚は、前記収容体から前記反対側の端部までの長さが、互いに異なるものとすることができる。
【００１０】
上述した態様によれば、例えばベランダの天井と床のような対向する両壁に、１対の支持脚の先端が接触するように、１対の支持脚の長さを調整することによってアンテナを取り付けられる。また、ベランダの両側壁間にも同様にして取り付けられる。支持脚の長さを調整する作業のみでアンテナを取り付けることができるので、作業性が向上する。
【発明の効果】
【００１１】
以上のように、本発明のアンテナ装置によれば、アンテナの設置工事を容易にすることができる。
【発明を実施するための最良の形態】
【００１２】
本発明の第１参考例のアンテナ装置は、図１に示すように、アンテナ、例えばスリーブモノポールアンテナ２と、１対の支持脚４、６とを備えている。
【００１３】
図２（ａ）に示すように、スリーブモノポールアンテナ２は、例えば円柱状の金属製のパイプからなる放射素子８と、同じく円柱状の金属製のスタッブ１０を有している。これら放射素子８、スタッブ１０は、例えば受信しようとする周波数帯の電波中の中心周波数の波長λの１／２の長さを有し、一直線状に配置されている。スタッブ１０内を挿通された給電線、例えば同軸ケーブル１２の外部導体が、スタッブ１０における放射素子８と隣接している端部、即ち内方端部に接続され、同軸ケーブル１２の中心導体が放射素子８におけるスタッブ１０と隣接している端部、即ち内方端部に接続されている。このスリーブモノポールアンテナ２は、図２（ｂ）に示すように、その周囲を完全に包囲し、その長さ方向がスリーブモノポールアンテナ２の長さ方向に沿っている円筒状または角筒状の収容体１４内に配置することもできる。この収容体１４は、例えば合成樹脂のような絶縁体製である。
【００１４】
図２（ａ）のように収容体１４を有しない場合には、放射素子８は、支持脚４に、スタッブ１０は支持脚４に直接に結合される。図２（ｂ）に示すように収容体１４内にスリーブモノポールアンテナ２が収容されている場合には、収容体１４の長手方向の両端部に支持脚４、６が結合されている。従って、支持脚４、６は、間隔をおいて配置されている。収容体１４に支持脚４、６が取り付けられている場合、支持脚４の端部とこれが取り付けられている収容体１４の端部とが接触している部分はほぼ同じ大きさであり、収容体１４と支持脚４、６によって、１つのケースが構成されている。
【００１５】
支持脚４は、複数本、例えば３本の筒状体、例えば円筒状体４ａ、４ｂ、４ｃからなる。円筒状体４ａ、４ｂ、４ｃは、それぞれ幅、例えば直径が異なり、円筒状体４ａ、４ｂ、４ｃの順に直径が小さくなっている。円筒状体４ａの内部に円筒状体４ｂが挿通され、円筒状体４ｂの内部に円筒状体４ｃが挿通されている。但し、円筒状体４ｂの外周面は、円筒状体４ａの内周面に接触し、円筒状体４ｃの外周面は、円筒状体４ｂの内周面に接触するように、各直径が選択されている。また、円筒状体４ｂの長さ寸法は、円筒状体４ａの長さ寸法に等しいか、若干短くされ、円筒状体４ｃの長さ寸法は、円筒状体４ｂの長さ寸法に等しいか、若干短くされている。
【００１６】
従って、円筒状体４ｂは、円筒状体４ａの長さ方向に沿って進退可能であり、円筒状体４ｂがほぼ円筒状体４ａ内に収容された状態から、ごく一部が円筒状体４ａに重なった状態まで摺動可能である。同様に、円筒状体４ｃは、円筒状体４ｂの長さ方向に沿って進退可能であり、円筒状体４ｃがほぼ円筒状体４ｂ内に収容された状態から、ごく一部が円筒状体４ｂに重なった状態まで摺動可能である。
【００１７】
従って、支持脚４は、円筒状体４ａの長さ寸法よりも若干長い縮小状態から、円筒状体４ａ、４ｂ、４ｃの長さ寸法を併せた寸法よりも若干短い伸長状態まで、伸縮可能である。
【００１８】
この支持脚４の円筒状体４ａにおいて円筒状体４ｂが挿通されているのと反対側の端部が図２（ａ）に示すように放射素子８に直接に、或いは図２（ｂ）に示すように収容体１４の長さ方向の端部に結合されている。
【００１９】
円筒状体４ｂは、最も伸ばした状態で、円筒状体４ａに固定される。そのために、図３（ａ）に示すように、円筒状体４ｂを最も伸ばした状態において、円筒状体４ｂに重なっている円筒状体４ａの部分に、係合手段、例えば貫通孔１６、１６が穿設されている。貫通孔１６、１６と一致するように、貫通孔１８、１８が、円筒状体４ａと重なっている円筒状体４ｂの部分に、穿設されている。一致している貫通孔１６、１８及び１６、１８内に係止手段、例えば突起２０、２０が配置されている。これら突起２０、２０は、貫通孔１６、１８内を進退可能である。円筒状体４ｂの内部には、突起２０、２０の内奥端部には、抜け止め用のフランジ２２が形成され、これらフランジ２２間に接触するように押圧手段、例えばばね２４が、円筒状体４ｂ内に配置されている。このばね２４は、突起２０、２０を円筒状体４ａ側の外方に押圧している。
【００２０】
従って、図３（ａ）に示す状態から突起２０、２０、を作業員が手によって円筒状体４ｂ内にばね２２の押圧力に抗して後退させて、円筒状体４ｂを円筒状体４ａ側に摺動させることによって、円筒状体４ｂを縮小することができる。この縮小状態から、円筒状体４ｂを円筒状体４ａの長さ方向に沿って円筒状体４ａから離れる方向に摺動させると、貫通孔１８、１８が貫通孔１６、１６に一致したとき、突起２０、２０が貫通孔１８、１８を介して貫通孔１６、１６に侵入し、円筒状体４ｂのその長さ方向への移動を拘束する。これによって、円筒状体４ｂが伸長状態になる。
【００２１】
あるいは、図３（ｂ）に示すように、円筒状体４ｂにおける円筒状体４ａと重なり合う部分の外周面に係止用の突起２６が、円筒状体４ｂの半径方向に沿って外周側に突出するように一体形成されている。この突起２６が挿通される切欠２８が、円筒状体４ｂと重なり合う円筒状体４ａの部分に形成されている。この切欠２８は、円筒状体４ａの円筒状体４ｂが挿通される端部である一端部から、円筒状体４ａの長さ方向に沿って反対側の端部である他端部側に向かって所定の長さ直線状に進行した直線状部２８ａと、そこから一端部側に向かって斜めに進行した傾斜部２８ｂと、そこから再び他端部側に向かって直線状に進行した直線状部２８ｃとからなる。この突起２６と切欠２８とが１対とされ、円筒状態４ａ、４ｂの周方向の異なる位置に、複数対がそれぞれ設けられている。
【００２２】
従って、円筒状体４ｂを円筒状体４ａに挿通し、切欠２８の直線状部２８ａに突起２６を挿通し、一番奥まで差し込んだ状態で、円筒状体４ｂを傾斜部２８ｂの方向に軸周りに回転させて、傾斜部２８ｂに沿って突起２６を進行させ、再び直線状部２８ｃに沿って円筒状体４ｂを挿通することによって、突起２６が直線状部２８ｃによって拘束され、抜けることはない。但し、この場合、円筒状体４ｂは、伸縮することは不可能である。
【００２３】
上述したように図３（ａ）の場合でも、図３（ｂ）の場合でも、円筒状体４ｂは、使用されるとき伸長状態である。従って、支持脚４を所望の長さにするためには、円筒状体４ｃが円筒状体４ｂから使用者が希望する長さだけ突出した状態で固定する必要がある。そこで、図４（ａ）に示すように円筒状体４ｂにおける円筒状体４ｃが挿通される端部の近傍に台座３０を形成し、この台座３０に形成したねじ孔に固定具、例えばねじ３２を螺合させて、その先端によって円筒状体４ｃを円筒状体４ｂに押圧して固定している。なお、台座３０は、円筒状体４ｂの周囲に間隔をおいて複数個所設けることができる。この場合、各台座３０にそれぞれねじ３２が挿通される。
【００２４】
あるいは、図４（ｂ）に示すように、円筒状体４ｃの内部に円筒状体４ｃの長さ方向に垂直に壁３４を設け、これと平行に円筒状体４ｂの内部にも壁３６を設け、円筒状体４ｃが円筒状体４ｂに挿通された状態において、壁３４、３６間に両端が位置するように押圧手段、例えばばね３８を設ける。このばね３８は、円筒状体４ｃをその外側に押圧するものである。従って、例えば、ばね３８を圧縮させた状態で円筒状体４ｃの一端（円筒状体４ｂに挿通されているのと反対側の端部）が固定物、例えば天井または側壁４０に接触させると、ばね３８の押圧力によって円筒状体４ｃは所望の長さだけ円筒状体４ｂから突出した状態を維持する。なお、円筒状体４ｃの他端（円筒状体４ｂに挿通されている端部）の周縁には抜け止め用のフランジ４２が形成され、円筒状体４ｂの端部にも抜け止め用のフランジ４３が形成され、円筒状体４ｂが円筒状体４ｃから抜けることが防止されている。
【００２５】
支持脚６も、支持脚４と同様に円筒状体６ａ、６ｂ、６ｃから構成されており、その構成は、支持脚４と同一であるので詳細な説明は省略する。
【００２６】
このように構成された支持脚４、６を用いて、アンテナ２は、例えば図５に示すようベランダに取り付けられる。図５において４２は天井、４４は床、４６は手すりをそれぞれ示す。例えば円筒状体４ｂ、６ｂをそれぞれ伸長状態として、円筒状体４ｃ、６ｃが図４（ａ）に示すように構成されている場合、円筒状体４ｃ、６ｃの一端が天井４２、床４４に接触するまで伸ばし、ねじ３２によって円筒状体４ｃ、６ｃを円筒状体４ｂ、６ｂに固定することによってアンテナ２の取り付けが終了する。
【００２７】
円筒状体４ｃ、６ｃが図４（ｂ）に示す構成の場合、円筒状体４ｂ、６ｂを伸長状態として、円筒状体４ｃ、６ｃの一端が天井４２、床４４に接触するように円筒状体４ｃ、６ｃを縮小する。これによって、アンテナ２の取り付けが終了する。この場合、アンテナ２は、垂直に配置される。同様にして、図６に示すように、アンテナ２を水平に配置することができる。なお、図６において４８、５０は、ベランダの壁である。
【００２８】
なお、円筒状体４ｂに図３（ｂ）の構成を採用した場合、円筒状体４ｂは伸縮できないので、円筒状体４ｃには図４（ａ）の構成を採用することによって、支持脚４の一部である円筒状体４ｃを伸縮可能とすることができる。支持脚６の場合も同様である。また、円筒状体４ｂに図３（ａ）の構成を採用し、円筒状体４ｃに図４（ｂ）の構成を採用する場合、円筒状体４ｃをばね３８の押圧力に抗して縮小状態として、何らかの固定具によってこの縮小状態を維持することによって、円筒状体４ｂ、４ｃを伸縮可能にできる。あるいは、円筒状体４ｂに図３（ｂ）の構成を採用し、円筒状体４ｃに図４（ｂ）の構成を採用すれば、円筒状体４ｂのみを伸縮可能にできる。支持脚６も同様である。また、円筒状体４ｂに図３（ａ）の構成を採用し、円筒状体４ｃに図４（ａ）の構成を採用することもできる。
【００２９】
支持脚４、６は、例えば合成樹脂や金属によって構成することができる。但し、図２（ａ）のように支持脚４、６が直接にアンテナ２に結合される場合には、支持脚４、６とアンテナとを絶縁するように絶縁体を設ける。
【００３０】
第１参考例では、スリーブモノポールアンテナ２を使用したが、図７に示す第２参考例のように、内部が中空な筒状導体、例えば円筒状の導体本体部５２にスリット５４を形成したスリットアンテナ５６を使用することもできる。この場合、支持脚４、６は本体部５２の長さ方向の両端部に取り付けられる。
【００３１】
あるいは、図８に示す第３参考例のように、収容体、例えば筐体５８内に所望のアンテナ、例えば八木形アンテナまたはマイクロストリップアンテナを収容し、この筐体５８の対向する壁６０、６２に支持脚４、６を取り付けることもできる。この場合、支持脚４、６は、筐体５８の壁６０、６２の一部のみ接触しており、筐体５８と共にケースを構成することはない。
【００３２】
本発明の一実施形態を図９に示す。ハイトパターンの影響を受けやすい場所にアンテナを設置する場合、図９（ａ）乃至（ｃ）に示すようにアンテナ６４の設置高さを変更させると受信状況が改善されることがある。そこで、アンテナ６４の設置高さを容易に変更可能にするため、特に、アンテナ６４を天井４２にかなり接近した位置にまで設置できるように、第４の実施形態では、アンテナ６４は図２（ｂ）に示した収容体１４と同様な収容体内に収容され、支持脚６６、６８を構成する直径が最も大きく収容体に取り付けられる円筒状体は、収容体内に挿通され、縮小状態になることができるように構成されている。
【００３３】
上記の参考例の図２（ａ）に示した円筒状体４ｂは縮小状態と伸長状態との２つの状態のみをとるものであったが、これに限ったものではなく、縮小状態と伸長状態との他に、これらの中途の状態においてその長さが固定されるものを使用することもできる。また、第１の参考例においてスリーブモノポールアンテナを使用し、第３の参考例では、八木形アンテナまたはマイクロストリップアンテナを使用したが、これらに代えて線状のアンテナ素子からなるダイポールアンテナやスリーブダイポールアンテナを使用することもできる。
【図面の簡単な説明】
【００３４】
【図１】本発明の第１の参考例のアンテナ装置の正面図である。
【図２】図１のアンテナ装置において使用されるアンテナの側面図である。
【図３】図１のアンテナ装置における円筒状体４ｂの円筒状体４ａへの取り付け状態を示す断面図である。
【図４】図１のアンテナ装置における円筒状体４ｃの円筒状体４ｂへの取り付け状態を示す断面図である。
【図５】図１のアンテナの装置の設置状態の一例を示す図である。
【図６】図１のアンテナ装置の設置状態の他の例を示す図である。
【図７】本発明の第２の参考例で使用するアンテナの正面図である。
【図８】本発明の第３の参考例で使用するアンテナの斜視図である。
【図９】本発明の一実施形態のアンテナの装置の種々の取り付け状態を示す図である。
【符号の説明】
【００３５】
２  アンテナ
４  支持脚
６  支持脚
【図１】
0005053053.tif 000002
【図２】
0005053053.tif 000003
【図３】
0005053053.tif 000004
【図４】
0005053053.tif 000005
【図５】
0005053053.tif 000006
【図６】
0005053053.tif 000007
【図７】
0005053053.tif 000008
【図８】
0005053053.tif 000009
【図９】
0005053053.tif 000010